(57)【要約】【課題】本発明は、安価・軽量でありながら、防音・断熱・結露対策が十分な住宅の窓用防音断熱パネルを提供することを課題とする。【解決手段】防音断熱材７を収納したパネル本体６と、該パネル本体６の底部に設けられ複数の貫通孔９を有する底板８とを備え、住宅の窓の窓枠４内に装着される窓用防音断熱パネル５である。  上記パネル本体６には、防音断熱材として、古紙を解繊したセルローズファイバーと、ポリプロピレン又はポリエステルを主成分とする綿状の合成繊維とを攪拌混合したバラ材が収納されている。【選択図】    図１
2018193763.tif 000002
【特許請求の範囲】
【請求項１】
防音断熱材を収納したパネル本体と、該パネル本体の底部に設けられ複数の貫通孔を有する底板とを備え、住宅の窓の窓枠内に装着される窓用防音断熱パネル。
【請求項２】
上記防音断熱材は、古紙を解繊したセルローズファイバーと、ポリプロピレン又はポリエステルを主成分とする綿状の合成繊維とを攪拌混合したバラ材であることを特徴とする、請求項１に記載の窓用防音断熱パネル。
【請求項３】
上記バラ材には、さらにホウ酸及び硼砂のうち少なくとも一種を混合したことを特徴とする、請求項２に記載の窓用防音断熱パネル。
【請求項４】
上記パネル本体及び底板は、プラスチック段ボール板で構成されていることを特徴とする、請求項１ないし請求項３のいずれか１項に記載の窓用防音断熱パネル。
【請求項５】
窓枠と接する上記パネル本体の上部にはスポンジ樹脂からなるテープが設けられていることを特徴とする、請求項１ないし請求項４のいずれか１項に記載の窓用防音断熱パネル。
【請求項６】
上記パネル本体の表面には取っ手が設けられていることを特徴とする、請求項１ないし請求項５のいずれか１項に記載の窓用防音断熱パネル。
【発明の詳細な説明】
【技術分野】
【０００１】
本発明は、窓用防音断熱パネル、特に住宅の窓の窓枠内に装着される窓用防音断熱パネルに関する。
【背景技術】
【０００２】
住宅の壁については、グラスウール、ロックウール、ノンフロン発泡体などを使用した防音断熱材の普及により、その断熱性能は向上している。
ところが、住宅の窓部については、例えば冬場の居室では室内の熱の約半分は窓から逃げると云われていながら、十分な対策はなされていない。
このため、冬場の浴室や脱衣室では、窓部での断熱が十分でないために、脱衣時あるいは入浴時の急激な血圧変動、すなわちヒートショックによる死亡事例が多数報告されている。
【０００３】
住宅の窓の防音断熱対策として、内窓を追加した二重窓構造、二重ガラスを用いた窓構造あるいは樹脂窓構造が採用されているが、これらのものはいずれも高価であるため、十分普及されているとは云えない。
また、廉価な断熱対策として、例えば、多数の凹みを有するキャップフィルムを真空成形により形成し、これに平坦なバックフィルムを貼り合わせて多数の密閉された気泡を形成した二層構成の気泡シートを窓ガラスの表面に貼る（特許文献１参照）等の対策もなされているが、防音断熱性能は不十分であるばかりでなく、シートが剥がれたり、シートの経年劣化によるガラス表面の汚損が問題となっている。
【先行技術文献】
【特許文献】
【０００４】
【特許文献１】特開２０００−７１３６１号公報
【特許文献２】特願２０１５−２１９９８３号
【発明の概要】
【発明が解決しようとする課題】
【０００５】
本発明は、安価・軽量でありながら、防音・断熱・結露対策が十分な住宅の窓用防音断熱パネルを提供することを課題とする。
【課題を解決するための手段】
【０００６】
本発明の課題を解決するための手段は、次のとおりである。
（１）防音断熱材を収納したパネル本体と、該パネル本体の底部に設けられ複数の貫通孔を有する底板とを備え、住宅の窓の窓枠内に装着される窓用防音断熱パネル。
（２）上記防音断熱材は、古紙を解繊したセルローズファイバーと、ポリプロピレン又はポリエステルを主成分とする綿状の合成繊維とを攪拌混合したバラ材であることを特徴とする（１）に記載の窓用防音断熱パネル。
（３）上記バラ材には、さらにホウ酸及び硼砂のうち少なくとも一種を混合したことを特徴とする（２）に記載の窓用防音断熱パネル。
（４）上記パネル本体及び底板は、プラスチック段ボール板で構成されていることを特徴とする（１）ないし（３）のいずれかに記載の窓用防音断熱パネル。
（５）窓枠と接する上記パネル本体の上部にはスポンジ樹脂からなるテープが設けられていることを特徴とする（１）ないし（４）のいずれかに記載の窓用防音断熱パネル。
（６）上記パネル本体の表面には取っ手が設けられていることを特徴とする（１）ないし（５）のいずれかに記載の窓用防音断熱パネル。
【発明の効果】
【０００７】
本発明によれば、防音断熱効果があり、かつ結露水抜き効果及び空気の対流効果があり施工作業性が良い住宅の窓用防音断熱パネルが得られる。
また、本発明によれば、リサイクル材を活用して環境性に優れるとともに、経済性に優れた住宅の窓用防音断熱パネルが得られる。
【図面の簡単な説明】
【０００８】
【図１】本発明に係る、窓用防音断熱パネルの模式図である。（ａ）図は、その断面図、（ｂ）図は、その正面図である。
【図２】本発明に係る、窓用防音断熱パネルの装着状態を示す写真である。
【発明を実施するための形態】
【０００９】
（窓用防音断熱パネルの実施例）
図１に、本発明の窓用防音断熱パネル５の模式図を示す。
（ａ）図は、窓用防音断熱パネル５の断面図及び窓用防音断熱パネル５を取り付ける窓構造の断面図であり、（ｂ）図は、窓用防音断熱パネル５の正面図である。
図１において、１は住宅の外壁、２はその内壁、３は窓、４は窓枠をそれぞれ示す。
【００１０】
窓用防音断熱パネル５は、矢印の方向から、窓枠４内に装着される。
図２は、本発明の窓用防音断熱パネルの装着状態を示す写真である。
図２によれば、３枚の窓用防音断熱パネルが、取っ手をつかんで順次窓枠に装着されていることが分かる。
【００１１】
窓用防音断熱パネル５は、防音断熱用のバラ材７を収納した矩形のパネル本体６とその下部に設けられた、複数個の貫通孔９を有する底板８から構成されている。
なお、パネル本体６の形状は、窓枠の形状で決まるため、必ずしも矩形である必要はない。
パネル本体６は、プラスチック段ボール板で構成するのが望ましい。湿気が問題とならないような窓の場合には、安価な紙段ボール板で構成することもできる。
【００１２】
パネル本体６の上部には、窓枠への装着の便宜のため、スポンジ樹脂からなるテープを取り付けてもよい。
また、パネル本体６の室内側の表面には、必要に応じて着脱に便利な取っ手を設けることができる。取っ手は、パネル本体６の室内側の表面に取り付ける簡単なものから、パネル本体内に埋め込むものまで適宜選択可能である。
【００１３】
底板８に設けられた貫通孔９は、窓用防音断熱パネル５を窓枠４に装着した際の窓側から室内側への空気の対流と、窓側からの結露水の除去のためのものである。
貫通孔９の直径は３〜５ｍｍとするのがよい。底板８としては、プラスチック段ボール板が好ましい。プラスチック段ボール板以外では、貫通機能を有する例えば橋桁式のものでもよい。
【００１４】
貫通孔９を有する窓用防音断熱パネル５は、特にいわゆるヒートショック防止及び結露対策が必要とされる浴室の窓に適用して多大な効果がある。
なお、室内側から窓側への空気の対流を促進するため、パネル本体６の上部に底板８と同様の、複数個の貫通孔を有する板を設けてもよい。
【００１５】
パネル本体６の内部に収納する防音断熱材として、古紙を解繊したセルローズファイバーとポリプロピレンを主成分とする綿状の合成繊維とを攪拌混合したバラ材であるのが好ましい。このようなバラ材は、軽量かつ廉価であるにもかかわらず、防音性及び断熱性に優れている。（特許文献２参照）
バラ材の作製方法は次のとおりであり、作製されたバラ材は、開口しているパネル本体６の端部を開いて封入し、封入後開口している端部を接着等の方法で接合してパネル本体６を完成する。
【００１６】
（バラ材の作製）
（１）古紙等の紙を解繊してセルローズファイバーを作製する。
（２）ポリプロピレンを主成分とする合成繊維を用意し、綿状に粉砕する。
（３）上記（１）の工程で作製したセルローズファイバーと、上記（２）の工程で作製したポリプロピレンを主成分とする綿状の合成繊維とを攪拌混合してバラ材を得る。
上記バラ材の作製に当たって、ポリプロピレンに代えてポリエステルを主成分とすることもできる。
【００１７】
セルローズファイバーと、ポリプロピレン又はポリエステルを主成分とする綿状の合成繊維の混合比率は、セルローズファイバーが７０〜９０％、ポリプロピレン又はポリエステルを主成分とする綿状の合成繊維３０〜１０％が好ましい。
【００１８】
上記（３）の工程において、さらに、ホウ酸、硼砂を混合してもよい。ホウ酸、硼砂を混合することにより、防炎・防虫・防カビ効果も得られる。
なお、ポリプロピレンあるいはポリエステルを主成分とする合成繊維は、必ずしも新しい材料である必要はない。例えば、ポリプロピレンあるいはポリエステルを主成分とする合成繊維であれば廃材であってもよい。
【００１９】
以上、本明細書に開示した実施例及び窓用防音断熱パネルの装着写真は、本発明に係る、窓用防音断熱パネルの理解を容易にするために例示したものであって、本発明はこれに限定されるものではない。
すなわち、本発明は、特許請求の範囲を逸脱しない限り、窓用防音断熱パネルの設計に当たって、適宜の設計変更が可能であることは言うまでもないことである。
【符号の説明】
【００２０】
１  外壁
２  内壁
３  窓
４  窓枠
５  窓用防音断熱パネル
６  パネル本体
７  防音断熱材
８  底板
９  貫通孔
１０  取っ手
【図１】
2018193763.tif 000003
【図２】
2018193763.tif 000004